【手続補正書】
【提出日】平成16年11月19日(2004.11.19)
【手続補正１】
【補正対象書類名】明細書
【補正対象項目名】請求項１
【補正方法】変更
【補正の内容】
【請求項１】
回転軸を通したハウジングと前記回転軸との間で被密封流体をアウトサイドシールするメカニカルシール装置であって、前記ハウジングと密封に連接して軸方向に移動自在に保持されていると共に一端に第１シール面を有する分割静止密封環と、前記分割静止密封環の外周面に嵌着して前記分割静止密封環の分割接面を密接させると共に軸方向分割面が分割と結合を可能にされた第１分割締付リングと、前記第１シール面と密接する第２シール面を有すると共に軸方向へ分割された分割接面を有して前記回転軸と密封に結合して回動する分割回転密封環と、前記分割回転密封環の外周面に嵌着して前記分割回転密封環の分割接面を密接させると共に軸方向分割面が分割と結合を可能にされた第２分割締付リングとを具備し、前記分割静止密封環の内周面と前記回転軸との間に被密封流体が流通する間隙を有すると共に、前記分割静止密封環が押圧手段により前記分割回転密封環へ弾発に押圧されているメカニカルシール装置。
【手続補正２】
【補正対象書類名】明細書
【補正対象項目名】請求項４
【補正方法】変更
【補正の内容】
【請求項４】
前記分割静止密封環が前記ハウジングの内周面にシールリングを介して移動自在に嵌合していることを特徴とする請求項１に記載のメカニカルシール装置。
【手続補正３】
【補正対象書類名】明細書
【補正対象項目名】０００５
【補正方法】変更
【補正の内容】
【０００５】
回転シール面１０６と密接する固定シール面１１１を設けた軸方向２分割型の固定密封環１１０は、内周面１１２が間隙を設けて回転軸１４８と嵌合している。この固定密封環１１０は、グランド組立体１４０の空間形成面１４３内に配置されて嵌合面Ｓと移動自在に嵌合している。そして、グランド組立体１４０の端部に複数設けられた板ばね１３０により固定密封環１１０を回転密封環１０１の方向へ押圧している。又、固定密封環１１０の外周面と空間形成面１４３との間にはＯリング用の空間室１１４が形成されている。この空間室１１４には第３Ｏリング１３７が装着されている。この第３Ｏリング１３７は、分割された固定密封環１１０の分割面を密接させるように締め付けると共に、空間室１１４をシールする。
【手続補正４】
【補正対象書類名】明細書
【補正対象項目名】０００８
【補正方法】変更
【補正の内容】
【０００８】
更に、他の第２従来例として、図４に示すアウトサイドシールの分割形メカニカルシール２００が存在する。図４に於いて、この分割形メカニカルシール２００は、回転軸１４８が貫通するハウジング１５０と回転軸１４８との間の被密封流体を固定密封環１６０の内周側を介して固定シール面１６１でシールするために設けられている。この被密封流体を内周側でシールする軸方向に分割された固定密封環１６０は、内周面が回転軸１４８と間隙を設けて嵌合すると共に、回転軸１４８との間の間隙が被密封流体の流通路となる。又、固定密封環１６０の外周面が厚肉で断面Ｌ型を２個組み合わせた環状形パッキン１６５の一端内周面１６７と嵌合している。そして、パッキン１６５の他端はハウジング１５０の端面に密接している。このパッキン１６５も１カ所分割されており、この分割面が凹凸に係合して密接している。
【手続補正５】
【補正対象書類名】明細書
【補正対象項目名】００１１
【補正方法】変更
【補正の内容】
【００１１】
回転分割ホルダ１７８は、軸方向に２分割されており、回転軸１４８に図示省略のキーを介して結合している。この回転分割ホルダ１７８は２個のボルト１５４により締め付けられて回転軸１４８と回転密封環１７０を抱き込んでいる。このために前述と同様に、回転密封環１７０と回転分割ホルダ１７８との間は厚肉のパッキン１７５の１端部により弾性的に保持されている。又、パッキンの他端部の内周面１７６は回転軸１４８と嵌合すると共に、回転軸１４８と回転分割ホルダ１７８との嵌合間で圧着されて両者間をシールしている。
【手続補正６】
【補正対象書類名】明細書
【補正対象項目名】００１６
【補正方法】変更
【補正の内容】
【００１６】
請求項１に係わる本発明のメカニカルシール装置は、回転軸を通したハウジングと前記回転軸との間で被密封流体をアウトサイドシールするメカニカルシール装置であって、前記ハウジングと密封に連接して軸方向に移動自在に保持されていると共に一端に第１シール面を有する分割静止密封環と、前記分割静止密封環の外周面に嵌着して前記分割静止密封環の分割接面を密接させると共に軸方向分割面が分割と結合を可能にされた第１分割締付リングと、前記第１シール面と密接する第２シール面を有すると共に軸方向へ分割された分割接面を有して前記回転軸と密封に結合して回動する分割回転密封環と、前記分割回転密封環の外周面に嵌着して前記分割回転密封環の分割接面を密接させると共に軸方向分割面が分割と結合を可能にされた第２分割締付リングとを具備し、前記分割静止密封環の内周面と前記回転軸との間に被密封流体が流通する間隙を有すると共に、前記分割静止密封環が押圧手段により前記分割回転密封環へ弾発に押圧されているものである。
【手続補正７】
【補正対象書類名】明細書
【補正対象項目名】００１７
【補正方法】変更
【補正の内容】
【００１７】
この請求項１に係わる本発明のメカニカルシール装置では、分割静止密封環は、内周側から被密封流体の圧力が作用するアウトサイドシールであり、外周面が分割締付リングにより又はハウジングにより直接固着される構造のために分割面が開くこともなく、被密封流体の圧力が低圧から高圧まで確実にシールすることが可能になる。更に、分割静止密封環は外周面を保持する分割締付リングと嵌着する単品構成のために、部品点数が少なく、コストを低減することが可能になる。しかも、分割静止密封環は構造簡単なために、高粘度、高スラリ、ケミカル液等であっても付着する箇所が少なく、シール能力を効果的に保持することが可能になる。
【手続補正８】
【補正対象書類名】明細書
【補正対象項目名】００２２
【補正方法】変更
【補正の内容】
【００２２】
請求項４に係わる本発明のメカニカルシール装置は、前記分割静止密封環が前記ハウジングの内周面にシールリングを介して移動自在に嵌合しているものである。
【手続補正９】
【補正対象書類名】明細書
【補正対象項目名】００２７
【補正方法】変更
【補正の内容】
【００２７】
図１は、本発明に係わる第１実施の形態を示すメカニカルシール装置１の断面図である。図１に於いて、１はメカニカルシール装置である。メカニカルシール装置１は、ハウジングの内周面６２と回転軸５０との間の被密封流体用流通路２３をシールするために装着される。ハウジング６０内のこの流通路２３は、内部の被密封流体が通るように形成されている。この内周面６２内には回転軸５０が配置されている。
【手続補正１０】
【補正対象書類名】明細書
【補正対象項目名】００３３
【補正方法】変更
【補正の内容】
【００３３】
第２分割締付リング３０の側面には、第３分割締付リング４０の内周面４２が回転軸５０に嵌着している。この第３分割締付リング４０は軸方向に２分割されて複数のボルト３９により分割面が結合されていると共に、回転軸５０を締め付けて両者を連結している。この第３分割締付リング４０には、側面４５に環状凸部４１が形成されており、この環状凸部４１により第２Ｏリング３７を押さえている。又、第３分割締付リング４０の側面４５と第２分割締付リング３０の側面が接合して第２分割締付リング３０及び分割回転密封環１５の軸方向が支持されている。又、第３分割締付リング４０の側面にはドライブピン４３が打ち込まれて固着されており、このドライブピン４３が第２分割締付リング３０の係止穴４８に係止して回転軸５０と共に第２分割締付リング３０及び分割回転密封環１５を回動する。
【手続補正１１】
【補正対象書類名】明細書
【補正対象項目名】００３５
【補正方法】変更
【補正の内容】
【００３５】
又、分割回転密封環１５の外周面１７と第２分割締付リング３０の第２嵌合面３２との間にも第２シート２２が介在されている。その第２シート２２は、第１シート２０とほぼ同一である。
【手続補正１２】
【補正対象書類名】明細書
【補正対象項目名】００３９
【補正方法】変更
【補正の内容】
【００３９】
【発明の効果】本発明に係わるメカニカルシール装置によれば、以下のような効果を奏する。  請求項１に係わる本発明のメカニカルシールによれば、分割静止密封環は、外周面が分割締付リングにより直接保持される構造のために分割面が開くこともなく、被密封流体の圧力が低圧から高圧まで確実にシールする効果を奏する。更に、分割静止密封環は外周面を保持する分割締付リングと嵌着する単品構成のために、部品点数が少なく、コストを低減する効果を奏する。しかも、分割静止密封環は構造が簡単なために、高粘度、高スラリ、ケミカル液等であってもＯリング等に付着する箇所が少なく、シール能力を効果的に発揮することが可能になる。
【手続補正１３】
【補正対象書類名】明細書
【補正対象項目名】００４０
【補正方法】変更
【補正の内容】
【００４０】
請求項２に係わる本発明のメカニカルシール装置によれば、薄いシートが分割静止密封環の外周面に介在されて第１分割締付リングにより締め付けられているから、締め付けられたときに第１シール面が変形することもなく確実にシールする効果を奏する。しかも。このシートは薄肉でよいから、分割静止密封環の内周面に被密封流体の圧力が作用しても分割面が開くこともなく、シール能力が向上する。このために、第１シール面の変形も防止され、且つシール面の摩耗も防止されてシール40能力を保持する効果が期待できる。
【手続補正１４】
【補正対象書類名】図面
【補正対象項目名】図３
【補正方法】変更
【補正の内容】
【図３】
2003166651.tif 000001
【手続補正１５】
【補正対象書類名】図面
【補正対象項目名】図４
【補正方法】変更
【補正の内容】
【図４】
2003166651.tif 000002